(57)【要約】    【課題】  コスト高を招来することなく、家庭でも簡単に使用でき、しかも確実な洗浄を行うことのできるようにした義歯洗浄用具を提供する。    【解決手段】  上部に義歯(40)を出し入れするとともに水を充満させかつ洗浄剤を投入するための出入り口(13)が形成されるとともに、該出入り口が蓋(14)によって着脱可能にかつ水密的に封鎖され、内部にブラシ(16)が植設され、洗濯機の水流によって旋回されることによって義歯表面をこすって義歯表面の汚れを除去し浮かす密閉構造の容器(10)と、洗濯機で洗濯可能でかつ洗濯中における衝撃を緩和し得る素材で製作され、上記容器を収納し、洗濯中の水流中に浮かび得る袋(20)と、を備える。義歯ブラシ(30)を更に備えるのが好ましい。【選択図】図２
2008264028.tif 000002
【特許請求の範囲】
【請求項１】
上部に義歯を出し入れするとともに水を充満させかつ洗浄剤を投入するための出入り口が形成されるとともに、該出入り口が蓋によって着脱可能にかつ水密的に封鎖され、内部にブラシが植設され、洗濯機の水流によって旋回されることによって義歯表面をこすって義歯表面の汚れを除去し浮かす密閉構造の容器と、
洗濯機で洗濯可能でかつ洗濯中における衝撃を緩和し得る素材で製作され、上記容器を収納し、洗濯中の水流中に浮かび得る袋と、
を備えたことを特徴とする義歯洗浄用具。
【請求項２】
上記容器及び蓋の内面には義歯に対する衝撃を緩和し得る軟質の層が形成されている請求項１記載の義歯洗浄用具。
【請求項３】
上記軟質の層がウレタン又はエラストマーによって形成されている請求項２記載の義歯洗浄用具。
【請求項４】
上記容器が外形半球状に製作され、頂上部に出入れ口が形成されている請求項１記載の義歯洗浄用具。
【請求項５】
請求項１記載の義歯洗浄用具と、該義歯洗浄用具の容器から取り出された義歯表面の汚れを除去する義歯ブラシとを組合せたことを特徴とする義歯洗浄セット。
【発明の詳細な説明】
【技術分野】
【０００１】
この発明は義歯洗浄用具に関し、特にコスト高を招来することなく、家庭でも簡単に使用でき、しかも確実な洗浄を行うことのできるようにした用具に関する。
【背景技術】
【０００２】
通常、義歯の表面には食物の滓が付着するとともに、口腔雑菌に起因する粘調のプラークが強固に付着しており、口臭だけでなく、病気の原因になるおそれがある。そこで、食事後や就寝前に歯ブラシと歯磨き剤とで義歯をブラシ洗浄するか、あるいは義歯を水とともにコップや専用容器に入れ、洗浄剤からの気泡によって洗浄することが行われているが、確実な洗浄は難しい。
【０００３】
他方、水中の電極間に義歯をセットし、電気化学的な作用を利用して義歯を洗浄するようにした義歯洗浄器（特許文献１）、水中に義歯をセットし、イオン化した空気とオゾンを微細な気泡にして義歯に向けて供給拡散させて洗浄するようにした義歯洗浄器（特許文献２）、洗浄槽内に水と義歯を入れ、義歯に超音波を照射して洗浄するようにした義歯洗浄器（特許文献３）、傾斜させた容器に義歯と研磨材とを入れ、容器を傾斜状態で回転させて義歯を洗浄するようにした義歯洗浄器（特許文献４）、などが提案されている。
【０００４】
【特許文献１】実公平０７−４８２４９号公報
【特許文献２】実公平０７−１３６９５号公報
【特許文献３】特開平１０−２６２９９２号公報
【特許文献４】特許第３６３９９３２号公報
【発明の開示】
【発明が解決しようとする課題】
【０００５】
しかし、上記特許文献１〜４記載の義歯洗浄器では電気化学的な作用を行う電極、空気をイオン化しオゾンを発生する機器、超音波を発生する機器、容器を傾斜支持し回転させる機構を必要とし、洗浄器のコストが歯ブラシと歯磨き剤を用いる場合に比して高価になってしまい、歯科医などで業務用に用いるには適しているものの、一般の人が家庭で日常的に用いるのには採用しにくい。
【０００６】
本発明はかかる問題点に鑑み、コスト高を招来することなく、家庭でも簡単に使用でき、しかも確実な洗浄を行うことのできるようした義歯洗浄用具を提供することを課題とする。
【課題を解決するための手段】
【０００７】
そこで、本発明に係る義歯洗浄用具は、上部に義歯を出し入れするとともに水を充満させかつ洗浄剤を投入するための出入り口が形成されるとともに、該出入り口が蓋によって着脱可能にかつ水密的に封鎖され、内部にブラシが植設され、洗濯機の水流によって旋回されることによって義歯表面をブラシでこすって義歯表面の汚れを除去し浮かす密閉構造の容器と、洗濯機で洗濯可能でかつ洗濯中における衝撃を緩和し得る素材で製作され、上記容器を収納し、洗濯中の水流中に浮かび得る袋と、を備えたことを特徴とする。
【０００８】
本発明の特徴の１つは大部分の家庭に設置されている洗濯機を利用し、容器内に義歯を洗浄剤及び水とともに入れて封鎖し、これを衝撃緩和用の袋に入れて洗濯機に投入し、洗濯中の水流によって容器を旋回させるようにした点にある。
【０００９】
これにより、義歯が容器内の洗浄剤を含む水中でブラシによってこすられ、義歯表面の汚れが除去され浮かされるので、洗濯機が停止した後、容器から義歯を取り出し、水洗いすると、大部分の汚れを除去して清浄にすることができる。このとき、義歯の表面に汚れが残存しているような場合にも汚れは義歯表面から浮いた状態となっているので、義歯ブラシで義歯の表面をこすると、汚れを簡単かつ確実に取り除くことができる。
【００１０】
容器及び蓋は耐水性及び耐洗浄剤性を有するものであればよく、材質は特に限定されない。例えば、合成樹脂材料や金属材料、例えばステンレス鋼を採用することができる。
【００１１】
しかし、容器及び蓋を硬質の合成樹脂材料や金属材料で製作すると、洗濯中の水流の作用によって義歯が容器や蓋に衝突すると、義歯が破損するおそれがある。そこで、容器及び蓋の内面には例えばウレタンやエラストマーを用いて義歯に対する衝撃を緩和し得る軟質の層を形成するのがよい。
【００１２】
容器の外形状は特に限定されないが、立方体形状にすると、容器の角部分が洗濯機の洗濯槽の内面と衝突して洗濯槽に損傷を与えるおそれがあるので、丸い形状、例えば外形球状又は半球状に製作し、頂上部に出入れ口を形成するのがよい。
【００１３】
袋は洗濯機で洗濯可能でかつ洗濯中における衝撃を緩和し得る素材で製作されていればよく、例えばキルトで二重袋を縫合し、二重の袋内に綿、ゴム、発泡スチロールなどを詰め浮力を調整して製作することができる。また、袋の形状は特に限定されず、例えば四角形状に製作することができる。
【００１４】
上述のように、義歯の汚れを確実に除去する上で、義歯洗浄用具は義歯ブラシと組み合わせて使用するのがよい。即ち、本発明によれば、上述の義歯洗浄用具と、義歯洗浄用具の容器から取り出された義歯表面の汚れを除去する義歯ブラシとを組合せた義歯洗浄セットを提供することができる。
【発明を実施するための最良の形態】
【００１５】
以下、本発明を図面に示す具体例に基づいて詳細に説明する。図１ないし図４は本発明に係る義歯洗浄セットの好ましい実施形態を示す。本例の義歯洗浄セットは容器１０、袋２０及び義歯ブラシ３０の組合せによって構成され、容器１０は外形ほぼ半球状をなし、外皮１１はステンレス鋼を用いて製造され、外皮１１内面全面にはウレタン樹脂製の軟質層１２が形成されている。
【００１６】
この容器１０の頂上部には義歯４０を出し入れするとともに水Ｗを充満させかつ洗浄剤を投入するための出入り口１３が形成され、該出入り口には雌ねじが形成され、出入り口１３には蓋１４が設けられ、蓋１４はステンレス鋼製の外皮の内面にウレタン製の軟質層を固着して製作され、蓋１４の外周部には出入り口１３の雌ねじと螺合する雄ねじが形成され、蓋１４には摘まみが形成されている。
【００１７】
また、容器１０の出入り口１３の直下には封鎖面１０Ａが形成されるとともに、封鎖面１０Ａは密閉キャップ１４Ａが水密的に螺合される開口１０Ｂが形成され、密閉キャップ１４Ａはプラスチックを用いて製造され、開口１０Ｂを密閉するようになっている。
【００１８】
また、容器１０の内部にはブラシ１５が放射状に植設され、又密閉キャップ１４Ａの内面には義歯４０がプラスチック製の密閉キャップ１４Ａと当たらないようにブラシ１５が植設されている。
【００１９】
袋２０はキルト生地を二重して四角形袋状に縫合し、生地間には綿、ゴム又は発泡ウレタンなどを詰めて浮力を調整して製作され、四角形の一辺には出入り口２１が形成され、ファスナー２２によって開閉されるようになっている。
【００２０】
義歯ブラシ３０は略く字状をなし、前半部３１には洗浄ブラシ３２が植設され、先端部の洗浄ブラシ３２は前方を向くように植設されている。
【００２１】
義歯４０を洗浄する場合、摘まみをもって容器１０の蓋１４及び密閉キャップ１４Ａを捩じって外し、出入り口１３及び開口１０Ｂから義歯４０を入れた後、水Ｗ及び洗浄剤、例えば食器用洗剤を入れ、密閉キャップ１４Ａで開口１０Ｂを密封した後、蓋１４を出入り口１３に螺入させて封鎖する。
【００２２】
次に、容器１０を袋２０に入れてファスナーを閉じ、水を入れた洗濯機の洗濯槽内に入れ、洗濯機を作動させる。すると、袋２０に入れた容器１０が洗濯中の水流Ａに浮かびながら、水流Ａによって旋回し、それに伴って図４に示されるように、義歯４０が洗浄剤が混じった水内を前後左右上下に揺さぶられ、義歯４０がブラシ１５によってこすられ、義歯４０表面の汚れが除去されあるいは洗浄剤の作用によって浮き上がる。
【００２３】
洗濯機を１０分程度作動させた後、袋２０を引き上げ、容器１０を袋２０から取り出し、蓋１４及び密閉キャップ１４Ａをあけて容器１０から義歯４０を取り出すと、義歯４０の汚れはほとんど除去されている。
【００２４】
義歯４０に汚れが残っている場合には義歯ブラシ３０のブラシ３２で軽くこすると、残った汚れは洗浄剤の作用によって義歯４０の表面から浮いた状態となっているので、簡単に取り除くことができる。
【００２５】
最後に、洗浄した義歯４０を水洗いすると、清浄となった義歯４０が得られるので、適切な保管容器に入れて保管すればよい。
【００２６】
図５及び図６は第２の実施形態を示し、図において図１ないし図４と同一符号は同一又は相当部分を示す。本例では容器１０’内部がウレタン製の仕切り壁１６’によって２つに仕切られ、一方の空間に上顎、他方の空間に下顎の義歯を入れて洗浄できるように構成されている。
【図面の簡単な説明】
【００２７】
【図１】本発明に係る義歯洗浄セットの好ましい実施形態を示す図である。
【図２】上記実施形態における容器１０の構造を示す断面図である。
【図３】上記実施形態における容器１０の構造を示す平面図である。
【図４】上記実施形態における容器１０内における義歯４０の動きを説明するための図である。
【図５】第２の実施形態を示す図である。
【図６】上記実施形態を示す断面構成図である。
【符号の説明】
【００２８】
１０、１０’      容器
１１      外皮
１２      軟質の層
１３      出入り口
１４      蓋
１５      ブラシ
２０      袋
３０      義歯ブラシ
【図１】
2008264028.tif 000003
【図２】
2008264028.tif 000004
【図３】
2008264028.tif 000005
【図４】
2008264028.tif 000006
【図５】
2008264028.tif 000007
【図６】
2008264028.tif 000008